(57)【要約】      （修正有）【課題】低コストで効率良く脱水し乾燥することができるフロアマット洗浄機を提供する。【解決手段】車載用のフロアマットを洗浄するフロアマット洗浄機において、フロアマット５０を洗浄する洗浄部と、洗浄部によって洗浄されたフロアマット５０を濯ぐ濯ぎ部と、濯ぎ部によって濯がれたフロアマット５０を脱水する脱水部１３と、脱水部１３によって脱水されたフロアマット５０を乾燥する乾燥部とを有し、洗浄部、濯ぎ部、脱水部１３、及び、乾燥部には、夫々、フロアマット５０を順次搬送する搬送手段１５ｃが設けられ、脱水部１３には、フロアマット５０を挟持して吸水しうる吸水ローラー部１６ａ、１６ｂ、１６ｃがフロアマット５０の搬送方向に沿って複数設けられている。【選択図】図５
0003209225.tif 000002
【実用新案登録請求の範囲】
【請求項１】
車載用のフロアマットを洗浄するフロアマット洗浄機において、前記フロアマットを洗浄する洗浄部と、前記洗浄部によって洗浄された前記フロアマットを濯ぐ濯ぎ部と、前記濯ぎ部によって濯がれた前記フロアマットを脱水する脱水部と、前記脱水部によって脱水された前記フロアマットを乾燥する乾燥部とを有し、
前記洗浄部、前記濯ぎ部、前記脱水部、及び、前記乾燥部には、夫々、前記フロアマットを順次搬送する搬送手段が設けられ、
前記脱水部には、前記フロアマットを挟持して吸水しうる吸水ローラー部が前記フロアマットの搬送方向に沿って複数設けられていることを特徴とするフロアマット洗浄機。
【請求項２】
前記吸水ローラー部には、前記吸水ローラー部を押圧して前記吸水ローラー部に含まれる水分を脱水しうる脱水ローラーが設けられていることを特徴とする請求項１記載のフロアマット洗浄機。
【請求項３】
前記洗浄部は、軟水及び洗浄液を貯留する貯留部と、前記貯留部の下端部に設けられたブラシ部とを有し、前記フロアマットを前記軟水及び洗浄液に浸しながら前記ブラシ部で洗浄することを特徴とする請求項１記載のフロアマット洗浄機。
【請求項４】
前記濯ぎ部には、オゾン水を噴射するオゾン水噴射部が設けられていることを特徴とする請求項１記載のフロアマット洗浄機。
【請求項５】
前記濯ぎ部には、前記洗浄部から搬送されたフロアマットを検知して、前記オゾン水噴射部を制御しうる検知部が設けられていることを特徴とする請求項４記載のフロアマット洗浄機。
【請求項６】
前記乾燥部は、冷却部と、加熱部とを備え、前記冷却部により一度冷却した空気を前記加熱部により加熱して前記フロアマットに吹き付けて乾燥することを特徴とする請求項１記載のフロアマット洗浄機。
【考案の詳細な説明】
【技術分野】
【０００１】
本考案は、車載用フロアマット洗浄機に関するものである。
【背景技術】
【０００２】
一般に、自動車等の車両のフロアパネル上に載置される車載用フロアマットは、例えば、パイル糸を有するカーペット地と、前記カーペット地の裏面に接合された布材とにより構成されている。
従来より、このようなフロアマットの洗浄機が提案されてきた。例えば、特許文献１には、ローラーによって引き込まれながら、回転するブラシによって洗浄され、吸水ローラーによって水分が絞り取られて排出されるように構成されたフロアマット洗浄機が記載されている。
しかしながら、車載用のフロアマットのパイル糸が植えられた根元部分の水分は除去しにくく、乾きにくいという不具合があった。
【０００３】
このような不具合を解消するために、例えば特許文献１にあっては、マット洗浄機に真空吸引手段を設けることによって、洗浄後残留するマット上の洗浄水を真空吸収して素早く乾燥させるマット自動洗浄機が記載されている。
しかしながら、特許文献１にあっては、真空ポンプが必要となるため、装置が大掛かりで製造コストがかかるという不具合があった。
【先行技術文献】
【特許文献】
【０００４】
【特許文献１】特開第特開２００６−６８２０９号公報
【考案の概要】
【考案が解決しようとする課題】
【０００５】
本考案は、以上のような従来からの不具合を解消するためのものであって、その課題は、低コストで効率良く脱水し乾燥することができるフロアマット洗浄機を提供することにある。
【課題を解決するための手段】
【０００６】
前記課題を解決するために、請求項１記載の考案にあっては、車載用のフロアマットを洗浄するフロアマット洗浄機において、前記フロアマットを洗浄する洗浄部と、前記洗浄部によって洗浄された前記フロアマットを濯ぐ濯ぎ部と、前記濯ぎ部によって濯がれた前記フロアマットを脱水する脱水部と、前記脱水部によって脱水された前記フロアマットを乾燥する乾燥部とを有し、前記洗浄部、前記濯ぎ部、前記脱水部、及び、前記乾燥部には、夫々、前記フロアマットを順次搬送する搬送手段が設けられ、前記脱水部には、前記フロアマットを挟持して吸水しうる吸水ローラー部が前記フロアマットの搬送方向に沿って複数設けられていることを特徴とする。
【０００７】
従って、前記フロアマットは前記搬送手段によって搬送されながら、前記洗浄部によって洗浄され、前記濯ぎ部によって濯がれ、前記脱水部によって脱水され、前記乾燥部によって乾燥される。特に、前記脱水部においては、前記フロアマットは、搬送方向に沿って設けられた複数の前記吸水ローラー部によって、夫々、挟持されて吸水される。
【０００８】
請求項２記載の考案にあっては、前記吸水ローラー部は、前記吸水ローラー部には、前記吸水ローラー部を押圧して前記吸水ローラー部に含まれる水分を脱水しうる脱水ローラーが設けられていることを特徴とする。
【０００９】
従って、前記吸水ローラー部は、前記脱水ローラーによって押圧され、前記吸水ローラー部に含まれる水分が脱水される。
【００１０】
請求項３記載の考案にあっては、前記洗浄部は、軟水及び洗浄液を貯留する貯留部と、前記貯留部の下端部に設けられたブラシ部とを有し、前記フロアマットを前記軟水及び洗浄液に浸しながら前記ブラシ部で洗浄することを特徴とする。
【００１１】
請求項４記載の考案にあっては、前記濯ぎ部には、オゾン水を噴射するオゾン水噴射部が設けられていることを特徴とする。
【００１２】
オゾン水には、オゾンと水とが反応して発生するＯＨラジカルが含まれる。ＯＨラジカルは、強い殺菌及び脱臭効果を有することが知られている。
従って、前記濯ぎ部において、前記フロアマットは、前記オゾン水噴射部によってオゾン水が噴射され、濯がれる。
【００１３】
請求項５記載の考案にあっては、前記濯ぎ部には、前記洗浄部から搬送されたフロアマットを検知して、前記オゾン水噴射部を制御しうる検知部が設けられていることを特徴とする。
【００１４】
従って、前記検知部が前記洗浄部から搬送されたフロアマットを検知した場合には、前記オゾン水噴射部が制御され、オゾン水が噴射される。
【００１５】
軟水は金属イオン等の不純物がほとんど含まれていない水である。
従って、前記フロアマットは、前記貯留部において、前記軟水及び洗浄液に浸され、前記ブラシ部により洗浄される。
【００１６】
請求項６記載の考案にあっては、前記乾燥部は、冷却部と、加熱部とを備え、前記冷却部により一度冷却した空気を前記加熱部により加熱して前記フロアマットに吹き付けて乾燥することを特徴とする。
【００１７】
空気を冷却すると、空気に含まれていた水蒸気が凝結することから、空気中の水分を水滴として一定量除去することができる。
従って、前記冷却部によって冷却された空気は、水分が一定量除去された後に、前記加熱部によって加熱される。その結果、前記フロアマットは、湿度の低下した空気が吹き付けられて乾燥される。
【考案の効果】
【００１８】
請求項１〜６記載のフロアマット洗浄機にあっては、前記フロアマットは前記搬送手段によって搬送されながら、前記洗浄部によって洗浄され、前記濯ぎ部によって濯がれ、前記脱水部によって脱水され、前記乾燥部によって乾燥される。
特に、前記脱水部においては、前記フロアマットは、搬送方向に沿って設けられた複数の前記吸水ローラー部によって、夫々、挟持されて吸水されるので、車載用のフロアマットのパイル糸が植えられた根元部分の水分を除去しやすく、乾きやすくすることができる。その結果、低コストで効率良く脱水し乾燥することができるフロアマット洗浄機を提供することができる。
【００１９】
請求項２記載のフロアマット洗浄機にあっては、前記吸水ローラー部は、前記脱水ローラーによって押圧され、前記吸水ローラー部に含まれる水分が脱水されるので、脱水された前記吸水ローラー部によって前記フロアマットに含まれる水分を効率よく吸水することができる。
【００２０】
請求項３記載のフロアマット洗浄機にあっては、前記フロアマットは、前記貯留部において、前記軟水及び洗浄液に浸され、前記ブラシ部により洗浄されるので、前記フロアマットを軟水により洗浄することで、洗剤の泡立ちが良くなり高い洗浄効果を得ることができる。また、その結果、洗剤の使用量を減らすことができる。
【００２１】
請求項４記載のフロアマット洗浄機にあっては、前記濯ぎ部において、前記フロアマットは、前記オゾン水噴射部によってオゾン水が噴射され、濯がれるので、オゾン水に含まれるＯＨラジカルによって、前記フロアマットを殺菌及び脱臭することができる。その結果、フロアマットから異臭が発生するといった事態を防止することができる。
【００２２】
請求項５記載のフロアマット洗浄機にあっては、前記検知部が前記洗浄部から搬送されたフロアマットを検知した場合には、前記オゾン水噴射部が制御され、オゾン水が噴射されるので、前記フロアマットに確実にオゾン水を噴射することができる。また、前記濯ぎ部に前記フロアマットが存在しないときは、オゾン水を噴射することなく、オゾン水の節約をすることができる。
【００２３】
請求項６記載のフロアマット洗浄機にあっては、前記冷却部によって冷却された空気に含まれていた水蒸気が凝結し、その後、前記加熱部によって加熱された空気は湿度が低下する。その結果、前記フロアマットは、湿度の低下した空気が吹き付けられて乾燥されるので、フロアマットに対して単に空気を吹き付ける場合に比べて、フロアマットに含まれる水分が蒸発しやすくなり、その結果、フロアマットを効率よく乾燥することができる。
【図面の簡単な説明】
【００２４】
【図１】図１は、本考案に係るフロアマット洗浄機の一実施形態を示す斜視図である。
【図２】図２は、本考案に係るフロアマット洗浄機の一実施形態において、フロアマットを投入して洗浄部に誘導する投入口部を示す拡大斜視図である。
【図３】図３は、本考案に係るフロアマット洗浄機の一実施形態において、乾燥部からフロアマットを取り出す取出口部を示す拡大斜視図である。
【図４】図４は、本考案に係るフロアマット洗浄機の一実施形態において、洗浄部及び濯ぎ部を示す、フロアマットの厚さ方向に相当する断面図である。
【図５】図５は、本考案に係るフロアマット洗浄機の一実施形態において、脱水部を示す、フロアマットの厚さ方向に相当する断面図である。
【図６】図６は、本考案に係るフロアマット洗浄機の一実施形態において、脱水部の脱水ローラーを示す斜視図である。
【考案を実施するための形態】
【００２５】
以下、本考案の一実施の形態に係るフロアマット洗浄機を、図面を参照して詳細に説明する。
図１及び図２に示すように、本実施の形態に係るフロアマット洗浄機１０は、車載用のフロアマットを洗浄するように構成され、洗浄機本体部４５と、洗浄機本体部４５の前面部３５に設けられ、フロアマットを洗浄部１１に投入する投入口部３１と、図３に示すように、洗浄機本体部４５の背面部３８に設けられ、乾燥部１４によって乾燥されたフロアマットを取り出すための取出口部３９と、取出口部３９を被覆する蓋部４０と、図１に示すように、洗浄機本体部４５の前面部３５に設けられ、ディスプレイ３７を有する操作パネル部３２と、操作パネル部３２に隣接して設けられた主電源部３３と、洗浄機本体部４５の下端部３６に設けられたキャスター部３４、３４・・・とを有している。
【００２６】
また、図４に示すように、本実施の形態に係るフロアマット洗浄機１０において、洗浄機本体部４５の内部には、フロアマット５０を洗浄する洗浄部１１と、洗浄部１１によって洗浄されたフロアマット５０を濯ぐ濯ぎ部１２と、図５に示すように、濯ぎ部１２によって濯がれたフロアマット５０を脱水する脱水部１３と、脱水部１３によって脱水されたフロアマットを乾燥する乾燥部１４とを有している。
【００２７】
また、図４〜図６に示すように、本実施の形態に係る洗浄部１１、濯ぎ部１２、脱水部１３、及び、乾燥部１４には、夫々、フロアマットを順次搬送する搬送手段である搬送ローラー部１５ａ、１５ｂ、１５ｃ・・・が設けられている。
本実施の形態に係る搬送ローラー部１５ａ、１５ｂ、１５ｃ、１５ｄは、夫々、搬送ローラー６２により構成されている。搬送ローラー６２は、金属製の軸部６０と、軸部６０を周方向に沿って被覆するように円筒状に形成されたシリコン樹脂製の搬送部６１とを有している。
また、図示しないが、搬送ローラー部１５ａ、１５ｂ、１５ｃ、１５ｄを構成する搬送ローラー６２には、搬送ローラー６２の周方向に突出して形成されたシリコン樹脂製のリングが軸方向に沿って所定間隔離間して配設されている。
【００２８】
また、図４に示すように、本実施の形態に係る洗浄部１１は、軟水及び洗浄液を貯留する貯留部２０と、貯留部２０の下端部２１に設けられたブラシ部２２とを有し、フロアマット５０を前記軟水及び洗浄液に浸しながらブラシ部２２で洗浄するように構成されている。
本実施の形態に係る貯留部２０は断面略台形状であって、所定の水位（図中矢印Ｗ）まで軟水及び洗浄液が貯留されるように構成されている。また、図示しないが、本実施の形態に係る貯留部２０には、貯留された軟水及び洗浄液を加熱する加熱部が設けられている。
特に、図４に示すように、本実施の形態に係る洗浄部１１にあっては、フロアマット５０の表面部５０ａを貯留部２０に浸しながら、ブラシ部２２を回転させて洗浄するように構成されている。
図４に示すように、洗浄部１１における搬送ローラー部１５ａを構成する搬送ローラー６２、６２・・・は、所定間隔をおいて側面略円弧状に配置されている。
図４に示すように、本実施の形態に係るブラシ部２２は、金属製の軸部４１と、軸部４１の周方向外方へ延設された合成樹脂製のブラシ４２とにより構成されている。
【００２９】
また、図５に示すように、本実施の形態に係る脱水部１３には、フロアマットを挟持して吸水しうる吸水ローラー部１６ａ、１６ｂ、１６ｃがフロアマットの搬送方向に沿って設けられている。
特に、図５に示すように、本実施の形態にあっては、脱水部１３へと搬送されたフロアマット５０を吸水ローラー部１６ａから図５中上方に搬送し、吸水ローラー部１６ｂを頂点として、吸水ローラー部１６ｃに向かって下方へ搬送され、さらに乾燥部（図示せず）へと搬送されるように、吸水ローラー部１６ａ、１６ｂ、１６ｃが配設されている。
【００３０】
図５及び図６に示すように、本実施の形態に係る吸水ローラー部１６ａはフロアマット５０の表面部５０ａ及び裏面部５０ｂの水分を吸収する一対の吸水ローラー５３、５３により構成されている。
また、本実施の形態に係る吸水ローラー部１６ｂはフロアマット５０の表面部５０ａの水分を吸収する吸水ローラー５３とフロアマット５０を搬送する搬送ローラー６２とにより構成されている。
また、本実施の形態に係る吸水ローラー部１６ｃはフロアマット５０の裏面部５０ｂの水分を吸収する吸水ローラー５３とフロアマット５０を搬送する搬送ローラー６２とにより構成されている。
図５に示すように、本実施の形態に係る吸水ローラー５３は、金属製の軸部５４と、軸部５４を周方向に沿って被覆するように円筒状に形成されたポリビニルアルコール製のスポンジ５５とにより構成されている。
【００３１】
図５に示すように、本実施の形態に係る脱水部１３にあっては、吸水ローラー部１６ａと吸水ローラー部１６ｂとの間には、フロアマット５０を吸水ローラー部１６ａから吸水ローラー部１６ｂへとガイドするガイド板５８、５９が設けられている。
【００３２】
また、図５及び図６に示すように、本実施の形態に係る吸水ローラー部１６ａには、吸水ローラー部１６ａを構成する吸水ローラー５３、５３を夫々押圧して、吸水ローラー５３、５３に含まれる水分を脱水しうる脱水ローラー１７、１７が設けられている。
図５及び図６に示すように、本実施の形態に係る脱水ローラー１７は、軸部５６と、軸部５６を周方向に沿って被覆するように円筒状に形成されたシリコン樹脂製の押圧部５７とにより構成されている。
【００３３】
また、図４に示すように、本実施の形態に係る濯ぎ部１２には、オゾン水Ｏを噴射するオゾン水噴射部１８が設けられている。本実施の形態に係るオゾン水噴射部１８は、オゾン水を導入するオゾン水導入部２５と、導入されたオゾン水を加圧する圧縮空気導入部２６と、加圧されたオゾン水を噴射する噴射口２７とを有している。
図示しないが、本実施の形態に係るオゾン水は、公知のオゾン発生器と、ポンプ装置と、前記オゾン発生器により発生したオゾンと前記ポンプ装置により加圧された水とを混合させるエジェクタとにより構成されたオゾン水生成装置により製造される。
【００３４】
また、図４に示すように、本実施の形態に係る濯ぎ部１２には、洗浄部１１から搬送されたフロアマット５０を検知して、オゾン水噴射部１８を制御しうる検知部１９が設けられている。
本実施の形態に係る検知部１９は、赤外線２８を照射する照射部２９と、赤外線２８を検知する光検知部３０と、光検知部３０が赤外線２８を検知しなくなった場合に、オゾン水噴射部１８からオゾン水を噴射する制御部（図示せず）とを有している。
【００３５】
また、図示しないが、本実施の形態に係る乾燥部１４は、冷却部と、加熱部とを備え、冷却部により一度冷却した空気を加熱部により加熱してフロアマットに吹き付けて乾燥するように構成されている。
具体的には、冷却部及び加熱部は、ペルチェ素子により構成されている。ペルチェ素子は、２種類の金属が接合された熱電素子の一種であり、金属の接合部に電流を流すことで、一方の金属から他方の金属へ熱が移動するように構成されている。
従って、ペルチェ素子の一方の金属が冷却部に、他方の金属が加熱部に相当する。
【００３６】
以下、本実施の形態に係るフロアマット洗浄機１０の作用について、添付図面を参照して説明する。
本実施の形態に係るフロアマット洗浄機１０を使用する場合には、図１に示すように、主電源部３３のスイッチを入れる。その結果、図４に示す洗浄部１１の貯留部２０に軟水及び洗浄液が供給されると共に、加熱部（図示せず）によって、軟水及び洗浄液が加熱される。
洗浄液が２０℃まで加熱されると、操作パネル部３２のディスプレイ３７にスタート可能な状態として表示される。
【００３７】
続いて、図２に示すように、フロアマット５０を投入口部３１に投入し、操作パネル部３２のスタートボタン（図示せず）を押すと、搬送ローラー６２が作動し、フロアマット５０が洗浄部１１へと搬送される。
図４に示すように、洗浄部１１へ搬送されたフロアマット５０は、搬送ローラー６２、６２・・・によって、貯留部２０へ搬送され、軟水及び洗浄液に浸されながら、ブラシ部２２によって洗浄される。
【００３８】
図４に示すように、洗浄されたフロアマット５０が濯ぎ部１２に搬送される際、照射部２９から照射された赤外線２８がフロアマット５０によって遮られ、光検知部３０が赤外線２８を検知できなくなった場合には、検知部１９の制御部がオゾン水噴射部１８からオゾン水を噴射するように制御する。
以上のように、濯ぎ部１２において、フロアマット５０の表面部５０ａは、オゾン水によって濯がれる。
【００３９】
続いて、図４に示すように、濯がれたフロアマット５０は、引き続き搬送ローラー６２、６２・・・によって、濯ぎ部１２から脱水部１３に搬送される。
図５に示すように、本実施の形態に係る脱水部１３においては、搬送されたフロアマット５０は、吸水ローラー部１６ａの吸水ローラー５３、５３によって、フロアマット５０の表面部５０ａ及び裏面部５０ｂの水分が吸収される。
続いて、図５に示すように、吸水ローラー部１６ｂにおいて、吸水ローラー５３と搬送ローラー６２とにより、フロアマット５０の表面部５０ａの水分が吸収される。
続いて、図５に示すように、吸水ローラー部１６ｃにおいて、吸水ローラー５３と搬送ローラー６２とにより、フロアマット５０の裏面部５０ｂの水分が吸収される。
【００４０】
続いて、脱水部１３において脱水されたフロアマット５０は、図示しないが、乾燥部に搬送され、冷却部により一度冷却した空気が加熱部により加熱されフロアマット５０に吹き付けられて乾燥される。
最後に、図３に示すように、洗浄機本体部の背面部３８に設けられた取出口部３９から乾燥されたフロアマット５０を取出し、フロアマットの洗浄が完了する。以上の工程は、操作パネル部３２のディスプレイ３７に表示される。
【００４１】
以上のことから、本実施の形態に係るフロアマット洗浄機１０にあっては、フロアマット５０は搬送ローラー部１５ａ、１５ｂ、１５ｃによって搬送されながら、洗浄部１１によって洗浄され、濯ぎ部１２によって濯がれ、脱水部１３によって脱水され、乾燥部１４によって乾燥される。
特に、脱水部１３においては、フロアマット５０は、搬送方向に沿って設けられた複数の吸水ローラー部１６ａ、１６ｂ、１６ｃによって、夫々、挟持されて吸水されるので、車載用のフロアマットのパイル糸が植えられた根元部分の水分を除去しやすく、乾きやすくすることができる。その結果、低コストで効率良く脱水し乾燥することができるフロアマット洗浄機を提供することができる。
【００４２】
また、本実施の形態に係るフロアマット洗浄機１０にあっては、吸水ローラー部１６ａは、脱水ローラー１７、１７によって押圧され、吸水ローラー部１６ａに含まれる水分が脱水されるので、脱水された吸水ローラー部１６ａによってフロアマット５０に含まれる水分を効率よく吸水することができる。
【００４３】
また、本実施の形態に係るフロアマット洗浄機１０にあっては、フロアマット５０は、貯留部２０において、軟水及び洗浄液に浸され、ブラシ部２２により洗浄されるので、フロアマット５０を軟水により洗浄することで、洗剤の泡立ちが良くなり高い洗浄効果を得ることができる。また、その結果、洗剤の使用量を減らすことができる。
【００４４】
また、本実施の形態に係るフロアマット洗浄機１０にあっては、濯ぎ部１２において、フロアマット５０は、オゾン水噴射部１８によってオゾン水が噴射され、濯がれるので、オゾン水に含まれるＯＨラジカルによって、フロアマット５０を殺菌及び脱臭することができる。その結果、フロアマットから異臭が発生するといった事態を防止することができる。
【００４５】
また、本実施の形態に係るフロアマット洗浄機１０にあっては、検知部１９が洗浄部１１から搬送されたフロアマット５０を検知した場合には、オゾン水噴射部１８が制御され、オゾン水が噴射されるので、フロアマット５０に確実にオゾン水を噴射することができる。
また、濯ぎ部１２に前記フロアマットが存在しないときは、オゾン水を噴射することなく、オゾン水の節約をすることができる。
【００４６】
また、本実施の形態に係るフロアマット洗浄機１０にあっては、冷却部によって冷却された空気に含まれていた水蒸気が凝結し、その後、加熱部によって加熱された空気は湿度が低下する。その結果、フロアマット５０は、湿度の低下した空気が吹き付けられて乾燥されるので、フロアマットに対して単に空気を吹き付ける場合に比べて、フロアマットに含まれる水分が蒸発しやすくなり、その結果、フロアマットを効率よく乾燥することができる。
【産業上の利用可能性】
【００４７】
本考案に係るフロアマット洗浄機は、車載用フロアマットの洗浄機として広く利用可能であり、産業上利用可能性を有している。
【符号の説明】
【００４８】
１０：フロアマット洗浄機
１１：洗浄部
１２：濯ぎ部
１３：脱水部
１４：乾燥部
１５ａ、１５ｂ、１５ｃ：搬送ローラー部
１６ａ、１６ｂ、１６ｃ：吸水ローラー部
１７：脱水ローラー
１８：オゾン水噴射部
１９：検知部
２０：貯留部
２１：下端部
２２：ブラシ部
２５：オゾン水導入部
２６：圧縮空気導入部
２７：噴射口
２８：赤外線
２９：照射部
３０：光検知部
３１：投入口部
３２：操作パネル部
３３：主電源部
３４：キャスター部
３５：前面部
３６：下端部
３７：ディスプレイ
３８：背面部
３９：取出口部
４０：蓋部
４１：軸部
４２：ブラシ
４５：洗浄機本体部
５０：フロアマット
５０ａ：表面部
５０ｂ：裏面部
５３：吸水ローラー
５４：軸部
５５：スポンジ
５６：軸部
５７：押圧部
５８：ガイド板
６０：軸部
６１：搬送部
６２：搬送ローラー
Ｏ：オゾン水
Ｗ：水位
【図１】
0003209225.tif 000003
【図２】
0003209225.tif 000004
【図３】
0003209225.tif 000005
【図４】
0003209225.tif 000006
【図５】
0003209225.tif 000007
【図６】
0003209225.tif 000008